(57)【要約】  吸収性物品（１０）は、液透過性の表面シート（１４）と、液不透過性の裏面シート（１２）と、表面シート（１４）と裏面シート（１２）との間に配された吸収体（１３）と、を備える吸収性物品（１０）であって、吸収体（１３）には、表面シート（１４）側の面に複数の凹部（２１）が形成され、複数の凹部（２１）は、第１の方向に延在する複数の第１のパターン（２２ａ）と、第１の方向と交差する第２の方向に延在する複数の第２のパターン（２２ｂ）とを形成するように配列され、吸収体（１３）の中央領域（Ｋ２）と中央領域（Ｋ２）を挟む両端領域（Ｋ１、Ｋ３）との間には、複数の凹部（２１）が形成されていない非形成領域（５１）が設けられていることを特徴とする。
2017038030.tif 000002
【特許請求の範囲】
【請求項１】
液透過性の表面シートと、液不透過性の裏面シートと、前記表面シートと前記裏面シートとの間に配された吸収体と、を備える吸収性物品であって、
前記吸収体には、前記表面シート側の面に複数の凹部が形成され、
前記複数の凹部は、第１の方向に延在する複数の第１のパターンと、前記第１の方向と交差する第２の方向に延在する複数の第２のパターンとを形成するように配列され、
前記吸収体の中央領域と前記中央領域を挟む両端領域との間には、前記複数の凹部が形成されていない非形成領域が設けられていることを特徴とする吸収性物品。
【請求項２】
前記中央領域の前記複数の凹部の配置密度は、前記両端領域の前記複数の凹部の配置密度よりも高いことを特徴とする請求項１に記載の吸収性物品。
【請求項３】
前記複数の凹部は、前記第１の方向および前記第２の方向に間欠的に形成され、
前記両端領域に形成された前記複数の凹部間の幅は、前記中央領域に形成された前記複数の凹部間の幅よりも広いことを特徴とする請求項１または２に記載の吸収性物品。
【請求項４】
前記中央領域に形成された前記複数の凹部は、前記第１の方向および前記第２の方向とは異なる第３の方向に延在する第３のパターンをさらに形成するように配列されていることを特徴とする請求項１ないし３のいずれか１項に記載の吸収性物品。
【請求項５】
前記両端領域には、前記複数の凹部が形成されていない非形成領域が、前記両端領域が対向する方向に設けられていることを特徴とする請求項１ないし４のいずれか１項に記載の吸収性物品。
【発明の詳細な説明】
【技術分野】
【０００１】
本発明は、吸収性物品に関し、特に、吸収パッド（尿パッド）や使い捨ておむつに関する。
【背景技術】
【０００２】
使い捨ておむつ（以下、単に「おむつ」とも言う）や吸収パッド等の吸収性物品は、排泄された体液をすばやく吸収し、漏らさないことが要求される。そして、吸収体を有効に活用するために、体液をすばやく股下部分から背腹部分に拡散させる必要がある。【０００３】
また、吸収性物品は、股下部分を覆うものであるため、脚の動き、腰の動きの影響をうける。体液は、着用者の体と吸収性物品との間に隙間ができると、その隙間から漏れる可能性があり、この漏れを防止するために、吸収性物品は様々な体の動きに追従したフィット性が要求される。このフィット性をもたらすために、例えば、使い捨ておむつ等の吸収体には体液拡散性／吸収性の向上及び型崩れ防止の観点から、吸収体全体にエンボスパターンを形成することが知られている。【０００４】
例えば、特許文献１には、吸収体の肌当接面側に、おむつの前身頃から後身頃に亘る方向に対して傾斜して延びる斜め格子状の圧縮溝であるエンボス加工を施したものが開示されている。
【先行技術文献】
【特許文献】
【０００５】
【特許文献１】特開２０１５−０１６２１８号公報
【発明の概要】
【発明が解決しようとする課題】
【０００６】
特許文献１の技術では、吸収体の股下部分に多量の体液が排泄されると、股下部分で体液が吸収されると共に、股下部分のエンボスを通って、前身頃部分および後身頃部分のエンボスに体液が拡散しようとする。一方、エンボスが連続模様となっていることにより、吸収体の前身頃部分および後身頃部分のエンボスを通って勢いよく吸収体の前後方向端部まで体液が流れ、当該端部から体液が漏れてしまうおそれがある。【０００７】
また、斜め格子形状が連続模様となることにより、吸収体の延在方向に垂直な方向の折り目線で折り曲げにくく、着用者のフィット性が低いという問題がある。【０００８】
本発明は、このような課題に鑑みて、着用者のフィット性を高め、かつ、吸収体の前後方向端部からの漏れを抑制した吸収体物品を提供することを目的とする。
【課題を解決するための手段】
【０００９】
このような目的を達成するために、本発明の吸収性物品は、液透過性の表面シートと、液不透過性の裏面シートと、表面シートと裏面シートとの間に配された吸収体と、を備える吸収性物品であって、吸収体には、表面シート側の面に複数の凹部が形成され、複数の凹部は、第１の方向に延在する複数の第１のパターンと、第１の方向と交差する第２の方向に延在する複数の第２のパターンとを形成するように配列され、吸収体の中央領域と中央領域を挟む両端領域との間には、複数の凹部が形成されていない非形成領域が設けられていることを特徴とする。
【発明の効果】
【００１０】
以上説明したように、本発明によれば、着用者のフィット性を高め、かつ、吸収体の前後方向端部からの漏れを抑制した吸収体物品を提供することができる。
【図面の簡単な説明】
【００１１】
【図１】本発明による吸収性物品をテープ型使い捨ておむつに応用した第１の実施形態の外観を示す立体投影図である。
【図２】図１に示したおむつを展開し、肌当接面側から見た部分破断平面図である。
【図３】図２に示したおむつをＩＩＩ−ＩＩＩ線で切断した断面図である。
【図４Ａ】図１に示したおむつを展開し、分解した分解斜視図である。
【図４Ｂ】図１に示したおむつの展開斜視図である。
【図５】本発明の第１の実施形態における図１に示したおむつの吸収体部分をトップシート側から見た部分上面図である。
【図６Ａ】図５における股下部分の斜め格子状のエンボスパターンを示す模式的部分拡大図である。
【図６Ｂ】図６ＡのエンボスパターンのＶＩＢ−ＶＩＢ線での断面を示す断面図である。
【図７】図５の吸収体部分のＶＩＩ−ＶＩＩ線での断面を示す断面図である。
【図８】本発明の第２の実施形態におけるエンボスパターンの例を示す模式的上面図である。
【図９】本発明の第３の実施形態におけるエンボスパターンの例を示す模式的上面図である。
【発明を実施するための形態】
【００１２】
本発明による吸収性物品の実施形態について、図１から図９を参照しながら詳細に説明する。しかしながら、本発明はこれらの実施形態のみに限らず、本発明の概念に帰属する他の吸収性物品も包含するものである。なお、以下の第１ないし第３の実施形態や、随所に述べられる変形例の吸収性物品の形態は、互いに組み合わせることも可能である。
【００１３】
［第１の実施形態］  
本発明をテープ型使い捨ておむつに応用した第１の実施形態の外観において、正面側から見た斜視図を図１に示す。図１に示すおむつを展開し、肌当接面側から見た部分破断平面図を図２に示す。図２のＩＩＩ−ＩＩＩ線破断断面図を図３に示す。図１および図２に示すテープ型使い捨ておむつを展開し、分解した分解状態の斜視図を図４Ａに示し、その分解した状態の構成物品を組み合わせて完成させたおむつの展開斜視図を図４Ｂに示す。
【００１４】
おむつ１０は、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。そして、後身頃領域１０Ｒの両側縁部に取りつけられたテープ１０Ｔを前身頃領域１０Ｆに取りつけられたフロントパッチ１０Ｓに係合させ、テープ型のおむつとなる。
【００１５】
着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００１６】
仮想線Ｐは、おむつ１０の幅方向中央部において腹側から背側に向かって、股下部分を通って延びるものである。具体的には、仮想線Ｐは、例えば、おむつのウエスト側を上、股下側を下とすると、おむつ表面に沿って、かつ上下方向に延びると共に、股下部分を経由して、背側においても上下方向に延びるものである。言い換えれば、この上下方向とは、着用者の頭から股下への体の中心軸に沿う方向であり、仮想線Ｐは、体の中心軸に沿って延びるものである。
【００１７】
図２、図３、図４Ａおよび図４Ｂに示されるように、本実施形態におけるおむつ１０は、着用者の肌側から見て、外側から順にカバーシート１１と、液不透過性のバックシート（裏面シート）１２と、親水性の薄いシートであるコアラップ（ティシュ）１５で包まれた吸収体１３と、着用者の肌に触れる液透過性のトップシート（表面シート）１４とを順に重ねて接合したものである。なお、バックシート１２、コアラップ１５で包まれた吸収体１３およびトップシート１４で、下着等に取り付けて液体を吸収する吸収性物品を形成することもできる。
【００１８】
カバーシート１１は、良好な手触りを得るために矩形の薄い不織布で形成され、カバーシート１１よりも幅が狭い矩形のバックシート１２に接合されている。
【００１９】
バックシート１２は、その長手方向が仮想線Ｐと略平行となる方向であって、その幅方向の中央またはその付近を仮想線Ｐが通る位置となるようにカバーシート１１上に接合される。
【００２０】
本実施形態の吸収体１３は、細長い形状であり、その形状を保持するために、例えば、端部同士が糊づけで接合された親水性の薄いシートであるコアラップ（ティシュ）１５で包まれている。コアラップ１５で包まれた吸収体１３は、バックシート１２とトップシート１４との間に配される。本実施形態のトップシート１４は、コアラップ１５で包まれた吸収体１３を介してバックシート１２に接合される。なお、本実施形態では、コアラップ１５で包まれた吸収体１３を用いているが、本発明における吸収体は、コアラップで包まれていなくてもよい。
【００２１】
カバーシート１１の幅方向の左右両端部には、脚周りギャザーを形成するための複数の糸ゴム１６がそれぞれ伸長状態で接合されている。また、バックシート１２を接合させたカバーシート１１上の後身頃領域１０Ｒ側の端部には、ウエスト周りギャザーを形成するための複数の糸ゴム１７がカバーシート１１の幅方向に伸長状態で接合されている。
【００２２】
トップシート１４の幅方向の左右両側縁部には、立体ギャザーを形成する液不透過性の一対のサイドシート１８が備えられている。一対のサイドシート１８は、おむつ１０の着用時に吸収体１３の両側縁部に沿って起立し、着用者が排泄した尿の横漏れを防止するための部材である。一対のサイドシート１８それぞれには、その内側端縁部を吸収体１３側に折り返して把持させる形で立体ギャザー伸縮材としての糸ゴム１９が伸張状態で配置され、糸ゴム１９が収縮した際に、着用者の肌当接方向に向かって立ち上がる。立体ギャザーは従来の使い捨ておむつに用いられている公知の構成を採用することができる。例えば、撥水性シートの層間に伸張状態の立体ギャザー伸縮材を挟み込んで固定することにより、形成することができる。さらに、一対のサイドシート１８のそれぞれの外側端縁部には、カバーシート１１の後身頃領域１０Ｒと接合する位置に、トップシート１４側からテープ１０Ｔが接合されている。
【００２３】
図４Ａに示されたおむつ１０の構成物品を重ね合わせた後に、カバーシート１１の長手方向の左右両側縁部の中央部分に、それぞれ図１の脚周り開口部１０Ｌとなる半円弧状をなす一対の切欠き部１１Ａを形成する。一対の切欠き部１１Ａを形成すると、図４Ｂに示されたおむつ１０が完成される。
【００２４】
図２に示されるように、完成されたおむつ１０のサイドシート１８は、糸ゴム１９の伸縮によって、長手方向に引き寄せられる。そして、図３に示されるように、内側端縁部が立ち上がった立体ギャザーとなる。
【００２５】
なお、本実施形態におけるおむつ１０は、吸収体１３が仮想線Ｐに沿って長くなるものであり、その長手方向は仮想線Ｐに平行である。そして、仮想線Ｐに対して直交する方向を幅方向とする。なお、おむつの長手方向と幅方向の比率は本実施形態に限定されない。着用者の体型に応じてこの比率は適宜変更されるものである。
【００２６】
次に本実施形態における吸収体部分の構造を説明する。
【００２７】
図５は、吸収体１３およびトップシート１４が位置する部分を、トップシート１４側から見た部分上面図である。
【００２８】
トップシート１４の下に位置する本実施形態の吸収体１３は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなるものである。吸収体１３は、前身頃、股下、後身頃にわたるように、細長い形状をしている。そして、前身頃部分Ｍ１、股下部分Ｍ２、後身頃部分Ｍ３に三区分されている。股下部分Ｍ２には、両脚の太股部分を取り囲む左右一対の脚周り開口部１０Ｌに合わせて、円弧状をなす一対の切欠き部１３ａが形成されている。本実施形態の吸収体１３は、切欠き部１３ａが設けられており、股下部分Ｍ２の幅が前後端に比べて狭い砂時計型のものであるが、本発明の吸収体の形状はこれに限らない。前身頃部分Ｍ１から後身頃部分Ｍ３を前後（上下）方向とし、それに直交する方向を左右方向とすると、例えば、前後（上下）端の角が丸く落とされているもの、前後（上下）に延びる楕円形のもの、円形のもの、前後（上下）左右の長さが同程度の矩形のものなど、さまざまな形状を含む。なお、この切欠き部１３ａは、吸収体１３の大きさによっては形成しなくてもよい。
【００２９】
ここで、本明細書および請求の範囲の記載において、本発明の吸収体１３の「中央領域」は、吸収体１３の肌当接面側の中央およびその付近の領域をいい、排尿などの液体と最初に接触する可能性が高い領域およびその付近の領域をいう。なお、この「中央領域」は、吸収性物品の着用者の体格や性別等によって変化させることが可能である。また、「中央領域」は、例えば、本実施形態のように股下部分Ｍ２と一致してもよいし、後述する第３の実施形態のように股下部分Ｍ２と一致しなくてもよい。
【００３０】
本実施形態では、吸収体１３には、図５に示すように、中央領域Ｋ２と、所定間隔（Ｄ１）を空けて中央領域Ｋ２を挟むように配置された前端領域Ｋ１および後端領域Ｋ３と、が設けられる。本実施形態では、中央領域Ｋ２は、股下部分Ｍ２と一致している。前端領域Ｋ１は吸収体１３の前方向端部から股下側に延びるように形成され、後端領域Ｋ３は吸収体１３の後方向端部から股下側に延びるように形成される。
【００３１】
本明細書および請求の範囲の記載においては、「前端領域Ｋ１および後端領域Ｋ３」を、中央領域Ｋ２を挟む「両端領域Ｋ１、Ｋ３」と称する。本実施形態では、吸収体１３は、図５に示すように、吸収体１３の中央領域Ｋ２と中央領域Ｋ２を挟む両端領域Ｋ１、Ｋ３との間には、複数の凹部２１が形成されていない幅Ｄ１の非形成領域５１が設けられている。非形成領域５１の詳細については後述する。
【００３２】
次に、本実施形態におけるトップシート１４から吸収体１３に向かって形成されるエンボス加工の形態について説明する。本実施形態に適用されるおむつ１０は、排尿時など一度にたくさんの体液が排出される場合において、すばやく大量の体液を吸収するものである。
【００３３】
図５および図６Ａに示されるように、おむつ１０は、トップシート１４表面から吸収体１３に向かって規則的なエンボス加工による圧縮を施した圧縮部形成領域（エンボスパターン形成領域）Ｎ１を有する。圧縮部形成領域Ｎ１には、圧縮による複数の凹部２１が形成され、その凹部２１の並びによって遠視的に斜め格子状のパターンとなる複数の圧縮列２２が形成されている。なお、図５に示されるように、エンボスパターンは、吸収体１３の両端には形成されていない。したがって、吸収体１３は圧縮部形成領域（エンボスパターン形成領域）Ｎ１の両側に、圧縮部非形成領域（エンボスパターン非形成領域）Ｎ２が位置するものである。これは、エンボスパターンを伝って、体液が脚周り開口部１０Ｌから漏れることを防ぐためである。
【００３４】
図６Ａは、本実施形態に係る吸収体１３の股下部分Ｍ２に形成された圧縮列２２の一部（図５における破線円ＶＩＡで囲まれた溝形成領域Ｎ１内の吸収体１３の圧縮列２２）を示す拡大図である。図６Ａに示されるように、圧縮列２２は複数の凹部２１が一定間隔をあけて間欠的に並ぶことによって形成されている。そして、圧縮列２２は、その傾き方向によって第１圧縮列（第１のパターン）２２ａと第２圧縮列（第２のパターン）２２ｂに分けられる。
【００３５】
第１圧縮列２２ａは、仮想線Ｐに対して、第１の方向である図５中の右方向に傾斜角度α１で傾斜する。一方、第２圧縮列２２ｂは、仮想線Ｐに対して、第２の方向である図５中の左方向に傾斜角度β１で傾斜する。つまり、複数の凹部２１は、第１の方向に延在する複数の第１圧縮列２２ａと、第１の方向と交差する第２の方向に延在する複数の第２圧縮列２２ｂとを形成するように配列されている。本実施形態では、第１圧縮列２２ａと第２圧縮列２２ｂとのなす角（α１＋β１）は直角となる９０°であり、角度α１とβ１は同じ角度であるが、本発明はこれに限らない。
【００３６】
本実施形態では、このように圧縮列２２を斜め格子状に配置することにより、脚の前後の動きによって、吸収体１３がよれるのを防止する。すなわち、第１圧縮列２２ａと第２圧縮列２２ｂとを設けることによって、脚の前後運動によって、斜め方向に加わる力に対して吸収体１３は各圧縮列２２に沿って変形するため、吸収体１３がよれることを抑制できる。また、圧縮列２２によって、吸収体１３の斜め方向における剛性が増し、脚の動きによる斜め方向の引っ張り力に対して、吸収体１３が切れることが抑制される。
【００３７】
図６Ｂは、図６ＡのエンボスパターンのＶＩＢ−ＶＩＢ線での断面を示す断面図である。図６Ｂに示されるように、第１圧縮列２２ａには、最も圧縮率が高い最圧縮部である凹部２１と凹部２１よりも圧縮率が低い準圧縮部である準凹部２３とが交互に配列されて形成されている。同様に、第２圧縮列２２ｂにも、凹部２１と準凹部２３とが交互に配列されて形成されている。ここで、図６Ｂ中の破線は、非圧縮領域２５の高さＨを表す。
【００３８】
凹部２１は、高い圧縮率により、トップシート１４、コアラップ１５および吸収体１３が一体的に固定された状態になっている。一方、準凹部２３は、凹部２１より弱い圧縮率で、トップシート１４、コアラップ１５および吸収体１３が仮固定された状態になっている。
【００３９】
圧縮列２２の毛管現象は、凹部２１のほうが強く準凹部２３のほうが弱いため、液体の拡散力もそれに従って凹部２１の拡散が速く凹部２１の拡散性に比べて準凹部２３の拡散が遅い。また、圧縮列２２の拡散速度は、凹部２１と凹部２１との間隔が狭いほうが液体の拡散が速く、広い方が液体の拡散が遅くなる。
【００４０】
このように、本実施形態の圧縮列２２は、非圧縮領域２５の高さＨから２段階に圧縮した凹部２１および準凹部２３が形成されているため、１段階で深く圧縮するとトップシートやコアラップが圧縮部と非圧縮領域２５との境界部で急激に伸ばされて破れてしまうという事態を回避することができる。なお、本実施形態の圧縮列２２は、最圧縮部および準圧縮部の２種類の圧縮部が配列されているが、本発明はこれに限定されず、３種類以上の圧縮部が配列されて圧縮列を形成してもよい。
【００４１】
また、図７に示されるように、複数の凹部２１は、トップシート１４とコアラップ１５で包まれた吸収体１３との間に接着剤を介在させて、トップシート１４と吸収体１３とが共に圧縮して形成されたものである。このように、トップシート１４表面からトップシート１４と吸収体１３とを圧縮することにより、着座等の着用者の体重が加わる状態においても、凹部２１はその形状を維持し、圧縮列２２がへたらない。よって、この圧縮列２２を利用して、体液を拡散し、また通気を維持することができる。
【００４２】
図５に示されるように、それぞれ傾斜角度α１で傾斜する複数の第１圧縮列２２ａは、互いに平行に配置されている。同じく、傾斜角度β１で傾斜する複数の第２圧縮列２２ｂは、互いに平行に配置されている。
【００４３】
一方、両端領域Ｋ１、Ｋ３と中央領域Ｋ２との間の幅Ｄ１の領域には、圧縮列２２が形成されていない。すなわち、両端領域Ｋ１、Ｋ３と中央領域Ｋ２との間には、凹部２１が形成されていない非形成領域５１が設けられている。これにより、前身頃部分Ｍ１および後身頃部分Ｍ３の圧縮列２２と、股下部分Ｍ２の圧縮列２２とは、不連続に形成されることになる。ここで、幅Ｄ１とは、図５に示すように、前端領域Ｋ１の圧縮列２２の最下列に位置する凹部２１と中央領域Ｋ２の圧縮列２２の最上列に位置する凹部２１との間の幅、または、中央領域Ｋ２の圧縮列２２の最下列に位置する凹部２１と後端領域Ｋ３の圧縮列２２の最上列に位置する凹部２１との間の幅のことをいう。本実施形態では、幅Ｄ１は、１５ｍｍであり、１０ｍｍ〜５０ｍｍの範囲が好ましい。
【００４４】
図５から図７に示されるエンボスパターンに関する各部位の大きさは次の通りである。
【００４５】
図５に示されるように、前端領域Ｋ１および後端領域Ｋ３の圧縮列２２を形成する凹部２１の隣接する凹部２１間の間隔Ｒ１は、約５ｍｍである。間隔Ｒ１は、２ｍｍ〜１５ｍｍの範囲が好ましい。また、本実施形態では、第１圧縮列２２ａの配置間隔Ｓ１および第２圧縮列２２ｂの配置間隔Ｓ２は、３０ｍｍである。配置間隔Ｓ１およびＳ２は、１５ｍｍ〜５０ｍｍが望ましい。なお、本実施形態では、複数の第１圧縮列２２ａ間の間隔Ｓ１は、複数の第２圧縮列２２ｂ間の間隔Ｓ２と等しいが、異なる値であってもよい。
【００４６】
そして、図６Ａに示されるように、中央領域Ｋ２の圧縮列２２を形成する凹部２１の隣接する凹部２１間の間隔Ｌ１は、約２ｍｍである。間隔Ｌ１は、１ｍｍ〜５ｍｍの範囲が好ましい。そして、凹部２１一つの長さＬ２は、約２．５ｍｍである。長さＬ２は、１ｍｍ〜５０ｍｍの範囲が好ましい。また凹部の幅Ｌ３は、約２ｍｍである。幅Ｌ３は、１ｍｍ〜５ｍｍの範囲が好ましい。図５および図６Ａにおいて、凹部２１は平行四辺形としたが、本発明はこれに限らず、円形、楕円形、三角形など様々な形を適用することができる。
【００４７】
図７に示されるように、トップシート１４と吸収体１３における主吸収領域２５等の非圧縮部分の厚さＬ４は、約３ｍｍである。厚さＬ４は、２ｍｍ〜１０ｍｍの範囲が好ましい。そして、凹部２１の最も深い部分の深さＬ５は、約２．５ｍｍである。深さＬ５は、１．５ｍｍ〜９．５ｍｍ程度が好ましい。
【００４８】
ここで、複数の凹部２１が連なることによって形成される圧縮列２２においては、その底面で吸収体１３の密度が高い状態に圧縮されているため、底面では毛管現象で液体を拡散しやすく、多くの液は列内を流れ走り、一部が凹部２１の側壁などから吸収されることとなる。一方、圧縮列２２で取り囲まれた主吸収領域２５は、吸収体１３が圧縮されていないため、体液を十分に吸収することができる。
【００４９】
そして、図５および図６Ａから理解されるように、中央領域Ｋ２の凹部２１間の間隔Ｌ１が前端領域Ｋ１および後端領域Ｋ３の凹部２１間の間隔Ｒ１よりも狭いため、中央領域Ｋ２に位置する圧縮列２２の凹部２１の配置密度（以下、「第１配置密度」とも言う）は、前端領域Ｋ１に位置する圧縮列２２の凹部２１の配置密度（以下、「第２配置密度」とも言う）および後端領域Ｋ３に位置する圧縮列２２の凹部２１の配置密度（以下、「第３配置密度」とも言う）に比べて、高くなっている。これにより、排尿等で一度に多量の体液が中央領域Ｋ２に排泄された場合、中央領域Ｋ２では、主吸収領域２５ａで体液を吸収すると共に、一部が細かく張り巡らされた圧縮列２２を流れて、排泄された体液を中央領域Ｋ２から前端領域Ｋ１および後端領域Ｋ３に素早く拡散させようとする。その後、前端領域Ｋ１および後端領域Ｋ３の主吸収領域２５ｂで中央領域Ｋ２から流れてきた体液を吸収させる。したがって、体液は中央領域Ｋ２で溢れることなく、確実に吸収されるとともに、適宜前端領域Ｋ１および後端領域Ｋ３に拡散されて、吸収体１３全体を有効に活用することができる。
【００５０】
なお、本発明では、エンボスパターンの形態は、図５の形に限らず、第１配置密度が、第２配置密度および第３配置密度より高くない形態等、様々な形態を採用することが可能である。例えば、第１配置密度、第２配置密度、および第３配置密度を３つとも同じ値にしてもよい。これは例えば、前端領域Ｋ１、中央領域Ｋ２、および後端領域Ｋ３に形成された凹部２１のエンボスパターンを３つとも同じ模様とすることで実現可能である。また、最も拡散させたい中央領域Ｋ２の第１配置密度を最大にして、残りの第２配置密度と第３配置密度とを異なる値にしてもよい。
【００５１】
また、本発明では、エンボスパターンの形態は、図５の形に限らず、非形成領域５１が設けられていれば、圧縮列２２の傾斜角度が異なるもの等であってもよい。
【００５２】
本実施形態では、圧縮列２２が形成されていない不連続な非形成領域５１を備えたことにより、多量の体液が中央領域Ｋ２から両端領域Ｋ１、Ｋ３に圧縮列２２を通って勢いよく流れる際に、一旦凹部２１が不連続な非形成領域５１で体液を吸収体にしみこませ、流速を減速させることができる。これによって、非形成領域５１が関の役割を果たし、勢いよく吸収体１３の前後方向端部に流れた体液がおむつ１０のウエスト部分から漏れることを抑制することができる。
【００５３】
前端領域Ｋ１と後端領域Ｋ３はそれぞれ着用者の体に触れた状態にされ、中央領域Ｋ２は、着用者の体から離れた状態で着用されるのが好ましいが、凹部２１が形成されない非形成領域５１を設ける位置は、着用者の体に触れない領域に配置されるのが好ましい。
【００５４】
また、前述のように非形成領域５１が着用者の体に触れない領域に配置されていると、しみこませた体液が体から離れた状態で吸収させることができる。
【００５５】
また、吸収体１３の長手方向成分の圧縮列２２がない非形成領域５１を設けたことにより、非形成領域５１で容易に吸収体１３を折り曲げることができるので、着用者のフィット性を高めることができる。
【００５６】
さらに、一旦凹部２１が不連続な非形成領域５１で体液を吸収体１３にしみこませることにより、連続した圧縮列２２だけでなく、隣接した複数の圧縮列２２にも体液を流入させることができるので、より体液の拡散性を向上させることができる。
【００５７】
［第２の実施形態］  
図８は、本発明の第２の実施形態に係る使い捨ておむつ１０の吸収体１３のトップシート１４側の面を上とした上面図である。
【００５８】
本実施形態の吸収体１３の形状が第１の実施形態の吸収体１３の形状と相違する一つ目の点は、第１の実施形態の第１圧縮列２２ａの間隔Ｓ１および第２圧縮列２２ｂの間隔Ｓ２に比べて、本実施形態の前端領域Ｋ１および後端領域Ｋ３の第１圧縮列２２０ａの間隔Ｓ３および第２圧縮列２２０ｂの間隔Ｓ４が広く形成されている点である。また、相違する二つ目の点は、本実施形態の前端領域Ｋ１および後端領域Ｋ３に、幅Ｄ２の圧縮列２２０の凹部２１が形成されていない非形成領域８２を吸収体１３の長手方向（前後方向）に設けている点である。
【００５９】
図８に示すように、本実施形態の第１圧縮列２２０ａおよび第２圧縮列２２０ｂの仮想線Ｐに対する傾斜角度α１およびβ１は、第１の実施形態の傾斜角度α１およびβ１と同じであるが、異なる値であってもよい。
【００６０】
一方、本実施形態の中央領域Ｋ２における第１圧縮列２２０ａおよび第２圧縮列２２０ｂで取り囲まれる主吸収領域（非圧縮領域）２５ａの面積は、第１の実施形態の中央領域Ｋ２における主吸収領域２５ａの面積と同じであるが、異なる値であってもよい。また、本実施形態の前端領域Ｋ１および後端領域Ｋ３における第１圧縮列２２０ａおよび第２圧縮列２２０ｂで取り囲まれる主吸収領域２５ｂの面積は、第１の実施形態の中央領域Ｋ２における主吸収領域２５ｂの面積よりも広く形成されている。
【００６１】
本実施形態では、両端領域Ｋ１、Ｋ３と中央領域Ｋ２との間の幅Ｄ１の非形成領域８１と同様に、前端領域Ｋ１および後端領域Ｋ３に設けられた、吸収体１３の長手方向に延在する幅Ｄ２の非形成領域８２には、圧縮列２２０が形成されていない。すなわち、前端領域Ｋ１および後端領域Ｋ３の圧縮列２２０は、幅方向が不連続に形成されている。本実施形態の幅Ｄ１は、１５ｍｍであり、１０ｍｍ〜５０ｍｍの範囲が好ましい。また、幅Ｄ２は、１０ｍｍであり、５ｍｍ〜２０ｍｍの範囲が好ましい。
【００６２】
さらに、図８に示すように、前端領域Ｋ１および後端領域Ｋ３における第１圧縮列２２０ａの配置間隔Ｓ３は、３０ｍｍである。配置間隔Ｓ３は、１０ｍｍ〜３０ｍｍが望ましい。中央領域Ｋ２における第１圧縮列２２０ａおよび第２圧縮列２２０ｂの配置間隔Ｓ１およびＳ２は、２０ｍｍである。配置間隔Ｓ１およびＳ２は、１５ｍｍ〜４０ｍｍが望ましい。本実施形態では、配置間隔Ｓ１およびＳ２、ならびに配置間隔Ｓ３およびＳ４は同じ値としたが、異なる値であってもよい。
【００６３】
本実施形態の吸収体１３は、中央領域Ｋ２に位置する圧縮列２２０の凹部２１の第１配置密度は、前端領域Ｋ１に位置する圧縮列２２０の凹部２１の第２配置密度および後端領域Ｋ３に位置する圧縮列２２０の凹部２１の第３配置密度に比べて高い関係が満たされ、かつ、中央領域Ｋ２と両端領域Ｋ１、Ｋ３との間に凹部２１が形成されていない非形成領域８１が設けられているため、第１の実施形態の吸収体１３と同様の効果を得ることができる。なお、本発明では、圧縮列２２０は、一つの連続した凹部で形成されてもよく、複数の凹部２１が互いに間隔を空けて間欠的に配列されて形成されてもよい。
【００６４】
さらに、本実施形態では、前端領域Ｋ１および後端領域Ｋ３に、吸収体１３の長手方向に凹部２１が不連続な非形成領域８２を備えたことにより、着用者のウエスト周り等が丸みを帯びている場合であっても、非形成領域８２に沿って吸収体１３を折り曲げることができるので、着用者のフィット性を高めることができる。
【００６５】
［第３の実施形態］
図９は、本発明の第３の実施形態に係る使い捨ておむつ１０の吸収体１３のトップシート１４側の面を上とした上面図である。
【００６６】
本実施形態の吸収体１３の形状が第１の実施形態および第２の実施形態の吸収体１３の形状と相違する一つ目の点は、本実施形態の中央領域Ｋ２の第１圧縮列２３０ａの間隔Ｓ３および第２圧縮列２３０ｂの間隔Ｓ４が、第１の実施形態の中央領域Ｋ２の第１圧縮列２２ａの間隔Ｓ１および第２圧縮列２２ｂの間隔Ｓ２に比べて広く形成されている点である。また、相違する二つ目の点は、中央領域Ｋ２に、第１圧縮列２３０ａおよび第２圧縮列２３０ｂの交差点を結んだ吸収体１３の長手方向に追加圧縮列（第３のパターン）２４０を形成し、前端領域Ｋ１および後端領域Ｋ３の対向する方向に凸の矢印形状が形成されている点である。つまり、中央領域Ｋ２に形成された複数の凹部２１は、第１の方向および第２の方向とは異なる第３の方向に延在する追加圧縮列２４０をさらに形成するように配列されている。なお、本実施形態の前端領域Ｋ１および後端領域Ｋ３における第１圧縮列２３０ａの間隔Ｓ３および第２圧縮列２３０ｂの間隔Ｓ４は、第２の実施形態と同様に、第１の実施形態の第１圧縮列２２ａおよび第２圧縮列２２ｂの間隔Ｓ１およびＳ２に比べて広く形成されている。さらに、相違する三つ目の点は、中央領域Ｋ２は、股下部分Ｍ２と一致していない。図９に示すように、中央領域Ｋ２は、吸収体１３の前後方向に突出部分を有する形状となっており、前端領域Ｋ１および後端領域Ｋ３は、中央領域Ｋ２の前後方向の突出部分に所定間隔（Ｄ３）を空けて配置するような形状をそれぞれ有する。本実施形態では、図９に示すように、吸収体１３の中央領域Ｋ２と中央領域Ｋ２を挟む両端領域Ｋ１、Ｋ３との間に、幅Ｄ３の非形成領域９１が設けられる。本実施形態では、両端領域Ｋ１、Ｋ３と中央領域Ｋ２との間の非形成領域９１には、圧縮列２３０が形成されていない。すなわち、前端領域Ｋ１および後端領域Ｋ３と中央領域Ｋ２とは、圧縮列２３０が不連続に形成されている。本実施形態の幅Ｄ３は、８ｍｍであり、５ｍｍ〜２０ｍｍの範囲が好ましい。
【００６７】
本実施形態の吸収体１３は、中央領域Ｋ２に位置する圧縮列２３０の凹部２１の第１配置密度は、前端領域Ｋ１に位置する圧縮列２３０の凹部２１の第２配置密度および後端領域Ｋ３に位置する圧縮列２３０の凹部２１の第３配置密度に比べて高い関係が満たされ、かつ、中央領域Ｋ２と両端領域Ｋ１、Ｋ３との間に凹部２１が形成されていない非形成領域９１が設けられているため、第１の実施形態および第２の実施形態の吸収体１３と同様の効果を得ることができる。なお、本発明の圧縮列２３０および２４０は、一つの連続した凹部で形成されてもよく、複数の凹部２１が互いに間隔を空けて間欠的に配列されて形成されてもよい。
【００６８】
さらに、本実施形態では、中央領域Ｋ２において、縦に連続した凹部が形成されているため、凹部に沿って縦に折れ曲がることができるので、例えば、着用者が男性の場合に前端領域Ｋ１側の矢印形状の領域で男性器を包み込み、後端領域Ｋ３側の矢印形状の領域が着用者のおしりの形状に当接し、非形成領域９１に沿って吸収体１３を折り曲げることができるので、着用者のフィット性を高めることができる。また、女性の場合は凹部に沿ってＷ型に折れ曲がり、排尿穴に近い位置に吸収体１３を合わせることで尿漏れを減らすことができる。
【００６９】
本発明の使い捨ておむつは、大人用、子供用のいずれにも適用可能である。また、上記各実施形態では、テープ型おむつを例にして説明したが、本発明では、パンツ型おむつにも適用可能であるのはいうまでもない。また、本発明の吸収性物品はおむつのみに特定されるものではなく、吸収パッド等、他の一般的な吸収性物品全般に適用されるものである。
【００７０】
また、上記各実施形態に係る非形成領域５１、８１、８２、９１の形状は、一定の幅を有する形状であるが、これに限られず、一定幅でないもの、曲線を含むもの等、様々な形状であってもよい。
【００７１】
さらに、本発明では、着用者のフィット性を高め且つ吸収体１３の前後方向端部からの漏れを抑制するという効果を奏するものであれば、非形成領域が不連続に形成される態様を許容するものである。
【００７２】
上記第１の実施形態では、前端領域Ｋ１と中央領域Ｋ２との間の幅Ｄ１と、後端領域Ｋ３と中央領域Ｋ２との間の幅Ｄ１との距離は、同じであるが、異なっていてもよい。これは、上記第２の実施形態における幅Ｄ２や、上記第３の実施形態における幅Ｄ３についても同様である。
【符号の説明】
【００７３】
１０  使い捨ておむつ
１０Ｆ  前身頃領域
１０Ｒ  後身頃領域
１０Ｃ  股下領域
１０Ｗ  ウエスト周り開口部
１０Ｌ  脚周り開口部
１０Ｔ  テープ
１０Ｓ  フロントパッチ
１１  カバーシート
１１Ａ  切欠き部
１２  バックシート（裏面シート）
１３  吸収体
１４  トップシート（表面シート）
１５  コアラップ
１６  糸ゴム（脚周り糸ゴム）
１７  糸ゴム（ウエスト周り糸ゴム）
１８  サイドシート
１９  糸ゴム（立体ギャザー伸縮材）
２１  凹部
２２、２２０、２３０  圧縮列
２２ａ、２２０ａ、２３０ａ  第１圧縮列
２２ｂ、２２０ｂ、２３０ｂ  第２圧縮列
２３  準凹部
２４０  追加圧縮列
２５、２５ａ、２５ｂ  主吸収領域（非圧縮領域）
５１、８１，８２、９１  非形成領域
Ｋ１  前端領域
Ｋ２  中央領域
Ｋ３  後端領域
Ｌ１、Ｒ１  圧縮列における隣接凹部間の前後間隔
Ｌ２  圧縮列における凹部の長さ
Ｌ３  圧縮列における凹部の幅
Ｓ１、Ｓ３  複数の第１圧縮列の形成間隔
Ｓ２、Ｓ４  複数の第２圧縮列の形成間隔
Ｈ  非圧縮領域の高さ
Ｄ１〜Ｄ３  非形成領域の幅
【図１】
2017038030.tif 000003
【図２】
2017038030.tif 000004
【図３】
2017038030.tif 000005
【図４Ａ】
2017038030.tif 000006
【図４Ｂ】
2017038030.tif 000007
【図５】
2017038030.tif 000008
【図６Ａ】
2017038030.tif 000009
【図６Ｂ】
2017038030.tif 000010
【図７】
2017038030.tif 000011
【図８】
2017038030.tif 000012
【図９】
2017038030.tif 000013
【国際調査報告】
2017038030.tif 000014
2017038030.tif 000015
2017038030.tif 000016
2017038030.tif 000017